(57)【要約】      （修正有）【課題】細長い採苗器を自動的に簡単かつ綺麗に巻き取り、しかも簡単に抜き取って収容することができる採苗器巻取装置を提供する。【解決手段】ホタテ貝養殖漁業においてホタテ貝幼生を付着させて稚貝を採取するための網状の採苗器を収納するために巻き取る巻取装置であって、採苗器を巻き取るための動力源となるモータ２と、このモータ２の動力により回転して採苗器を巻回させる巻取心棒３と、採苗器を巻取心棒方向へ送出するために鉛直軸で回転自在に設けられた左右一対の縦ローラ４または垂直軸で回転自在に設けられた上下一対の横ローラ５の少なくとも一方を有しており、巻取心棒３は、水平方向に延在された主巻取棒と、この主巻取棒と所定の間隔を隔てて平行に延在されるように一体的に接合された従巻取棒とを有する。【選択図】図１
2020130029.tif 000002
【特許請求の範囲】
【請求項１】
ホタテ貝養殖漁業においてホタテ貝幼生を付着させて稚貝を採取するための網状の採苗器を収納するために巻き取る採苗器巻取装置であって、
前記採苗器を巻き取るための動力源となるモータと、
このモータの動力により回転して前記採苗器を巻回させる巻取心棒と、
前記採苗器を巻取心棒方向へ送出するために鉛直軸で回転自在に設けられた左右一対の縦ローラまたは垂直軸で回転自在に設けられた上下一対の横ローラの少なくとも一方を有しており、
前記巻取心棒は、水平方向に延在された主巻取棒と、この主巻取棒と所定の間隔を隔てて平行に延在されるように一体的に接合された従巻取棒とを有する、採苗器巻取装置。
【請求項２】
前記巻取心棒における主巻取棒と従巻取棒との間には、両者間の間隔を保持するための間隔保持部材が設けられている、請求項１に記載の採苗器巻取装置。
【請求項３】
前記従巻取棒はその基端部を前記主巻取棒の基端側中途位置から二股状に分岐されるように接合されており、前記間隔保持部材は前記主巻取棒と前記従巻取棒とのそれぞれの略中央位置を連結するように構成されている、請求項２に記載の採苗器巻取装置。
【請求項４】
前記巻取心棒の上方位置において上下揺動可能に設けられており、前記巻取心棒に巻回される前記採苗器を上方から押圧することにより前記採苗器の巻き締め具合を調整するための巻締調整用押圧板を有する、請求項１から請求項３のいずれかに記載の採苗器巻取装置。
【請求項５】
前記巻締調整用押圧板は、基端側が平面状に形成されているとともに先端側が下方に湾曲された曲面状に形成されている、請求項４に記載の採苗器巻取装置。
【請求項６】
前記巻締調整用押圧板には、揺動する先端側縁部に操作部材が取り付けられており、当該操作部材を下方に操作して前記巻締調整用押圧板による押圧力を調整することにより前記採苗器の巻き締め具合を調整可能に構成されている、請求項４または請求項５に記載の採苗器巻取装置。
【発明の詳細な説明】
【技術分野】
【０００１】
本発明は、漁網の巻取装置に関し、特にホタテ貝の稚貝を採取するための細長い網状の採苗器を簡単かつ効率的に巻き取る採苗器巻取装置に関するものである。
【背景技術】
【０００２】
従来、ホタテ貝の養殖漁業では、ホタテ貝の幼生を付着させて稚貝を採取するための採苗器が使われている。この採苗器は、図８に示すように、内網と筒状の長い外網とで構成されており、複数の前記内網を一本の長いロープに連結し、これらの内網すべてを長い外網で覆うようにしてその両端をロープの位置で締結して閉じられる。当該採苗器は春頃に海に張られた長いロープに結ばれ、浮き球によって海中に垂下されると、海を浮遊するホタテ貝の幼生が内網に糸足を絡みつかせて付着する。その後、この幼生が稚貝にまで成長すると、外網の小さな網目を抜けることができなくなるため、前記採苗器を陸上に回収することによって大量の稚貝を容易に採取することができる。採取された稚貝は海岸沿いの養殖施設に移されて育成籠に収容されつつ適宜、収容密度を変えられながら育成され、所望の大きさにまで育ったホタテ貝は陸揚げされて、各地のホタテ貝放流漁場に放流されることになる。
【０００３】
なお、ホタテ貝等の採苗器として、例えば、特開昭５２−１４５１９８号公報には、網目の微小な採苗用網袋によって種苗床の回りを取り囲んだ状態に形成されている採苗器が提案されている（特許文献１）。
【先行技術文献】
【特許文献】
【０００４】
【特許文献１】特開昭５２−１４５１９８号公報
【発明の概要】
【発明が解決しようとする課題】
【０００５】
ところで、前述のような採苗器は細長い形状に形成されているため、従来、稚貝を採取した後の採苗器は、作業者によって一本ずつ手作業でくるくると丸められて翌年まで倉庫に収納されるようになっている。しかしながら、採苗器は数百〜数千本の規模で同時に使用されることが多いため、上述した収納作業は重労働な上に、膨大な時間を要する。このため、特に高齢化が進み、人手不足に悩む漁師にとっては極めて大きな負担となっていた。
【０００６】
本発明は、このような問題点を解決するためになされたものであって、細長い採苗器を自動的に簡単かつ綺麗に巻き取り、しかも簡単に抜き取って収容することができる採苗器巻取装置を提供することを目的としている。
【課題を解決するための手段】
【０００７】
本発明に係る採苗器巻取装置は、細長い形状の採苗器を所定の位置に送りながら自動的に簡単かつ綺麗に巻き取り、しかも横方向に簡単に抜き取って迅速に収容するという課題を解決するために、ホタテ貝養殖漁業においてホタテ貝幼生を付着させて稚貝を採取するための網状の採苗器を収納するために巻き取る巻取装置であって、前記採苗器を巻き取るための動力源となるモータと、このモータの動力により回転して前記採苗器を巻回させる巻取心棒と、前記採苗器を巻取心棒方向へ送出するために鉛直軸で回転自在に設けられた左右一対の縦ローラまたは垂直軸で回転自在に設けられた上下一対の横ローラの少なくとも一方を有しており、前記巻取心棒は、水平方向に延在された主巻取棒と、この主巻取棒と所定の間隔を隔てて平行に延在されるように一体的に接合された従巻取棒とを有する。
【０００８】
また、本発明の一態様として、巻取心棒の変形を防止して採苗器の抜き取りやすさを確保するという課題を解決するために、前記巻取心棒における主巻取棒と従巻取棒との間には、両者間の間隔を保持するための間隔保持部材が設けられている。
【０００９】
さらに、本発明の一態様として、採苗器を強く巻き締めて固く縛っても巻取心棒の変形を防止して採苗器の抜き取りやすさを確保するとともに、巻取心棒の中央位置に寄せて巻き取れるようにするという課題を解決するために、前記従巻取棒はその基端部を前記主巻取棒の基端側中途位置から二股状に分岐されるように接合されており、前記間隔保持部材は前記主巻取棒と前記従巻取棒とのそれぞれの略中央位置を連結するように構成されている。
【００１０】
さらに、本発明の一態様として、採苗器を巻き取る際に押圧することによって長尺状の採苗器であっても綺麗なロール状に巻けるようにするという課題を解決するために、前記巻取心棒の上方位置において上下揺動可能に設けられており、前記巻取心棒に巻回される前記採苗器を上方から押圧することにより前記採苗器の巻き締め具合を調整するための巻締調整用押圧板を有する。
【００１１】
さらに、本発明の一態様として、ロール状に巻き取られる採苗器の外周形状に合わせて押圧することで綺麗に巻けるようにするという課題を解決するために、前記巻締調整用押圧板は、基端側が平面状に形成されているとともに先端側が下方に湾曲された曲面状に形成されている。
【００１２】
さらに、本発明の一態様として、採苗器を好みの巻き締め具合に調整できるようにするという課題を解決するために、前記巻締調整用押圧板には、揺動する先端側縁部に操作部材が取り付けられており、当該操作部材を下方に操作して前記巻締調整用押圧板による押圧力を調整することにより前記採苗器の巻き締め具合を調整可能に構成されている。
【発明の効果】
【００１３】
本発明によれば、細長い採苗器を自動的に簡単かつ綺麗に巻き取り、しかも簡単に抜き取って収容することができる。
【図面の簡単な説明】
【００１４】
【図１】本発明に係る採苗器巻取装置の一実施形態を示す斜視図である。
【図２】本実施形態の採苗器巻取装置において、巻締調整用押圧板を取り外した状態の斜視図である。
【図３】本実施形態の採苗器巻取装置を図１の反対側から見た斜視図である。
【図４】本実施形態の採苗器巻取装置の側面図である。
【図５】本実施形態の巻き取り心棒を示す図である。
【図６】本実施形態の採苗器巻取装置を用いて採苗器を巻き取る際の各工程を示す図である。
【図７】本発明に係る採苗器巻取装置の他の実施形態を示す斜視図である。
【図８】採苗器の一例を示す図である。
【発明を実施するための形態】
【００１５】
以下、本発明に係る採苗器巻取装置の一実施形態について図面を用いて説明する。なお、本発明において、採苗器とは、ホタテ貝養殖漁業においてホタテ貝幼生を付着させて稚貝を採取するための全ての網状物を含む概念である。
【００１６】
本実施形態の採苗器巻取装置１は、採苗器を収納するために巻き取るためのものであり、図１から図４に示すように、主として、動力源となるモータ２と、採苗器を巻回させる巻取心棒３と、左右一対の縦ローラ４，４と、上下一対の横ローラ５，５と、採苗器の巻き締め具合を調整するための巻締調整用押圧板６とを有している。以下、各構成について詳細に説明する。
【００１７】
モータ２は、採苗器を巻き取るための動力源となるものである。本実施形態において、モータ２は、図示しないインバータと接続されており、当該インバータをフットスイッチ等によってオンオフ制御することにより、回転速度（巻取速度）を調節しうるようになっている。
【００１８】
巻取心棒３は、モータ２の動力により回転して採苗器を巻回させるものである。本実施形態において、採苗器巻取装置１は、同時に２つの採苗器を巻き取れるように、モータ２の両側に巻取心棒３を一本ずつ備えている。各巻取心棒３は、図５に示すように、水平方向に延在された主巻取棒３１と、この主巻取棒３１と所定の間隔を隔てて平行に延在されるように一体的に接合された従巻取棒３２と、主巻取棒３１と従巻取棒３２との間に設けられた間隔保持部材３３とを有している。
【００１９】
具体的には、図５に示すように、従巻取棒３２は、その基端部を主巻取棒３１の基端側中途位置から二股状に分岐されるように接合されている。また、間隔保持部材３３は、主巻取棒３１と従巻取棒３２とのそれぞれの略中央位置を連結するように構成されている。これにより、間隔保持部材３３は、後述するとおり、主巻取棒３１と従巻取棒３２との間隔を保持するための機能と、採苗器を巻取心棒３の略中央位置に巻き取るための機能を兼ね備えるようになっている。
【００２０】
なお、本実施形態では、巻取心棒３に間隔保持部材３３を設けているが、この構成に限定されるものではなく、巻き取った採苗器の抜き取りやすさを確保しうる程度に巻取心棒３が変形しにくい等の構成であれば、間隔保持部材３３を設けなくてもよい。また、本実施形態では、間隔保持部材３３が主巻取棒３１と従巻取棒３２との略中央位置に連結されているが、この構成に限定されるものではなく、縦ローラ４によって十分にセンタリングできる場合等には、略中央位置以外の位置に連結されていてもよい。
【００２１】
縦ローラ４および横ローラ５は、採苗器を巻取心棒３方向へ送出するためのものである。本実施形態において、縦ローラ４は、図３に示すように、鉛直軸で回転自在に設けられた左右一対の空転ローラによって構成されており、採苗器を巻取心棒３の略中央位置へ送出する役割を果たすためピッチ（隙間）の大きさを適宜変更可能に構成されている。また、横ローラ５は、図３に示すように、垂直軸で回転自在に設けられた上下一対の空転ローラによって構成されており、採苗器を平らにならした状態で巻取心棒３へ送出する役割を果たすためピッチの大きさを変更可能に構成されている。
【００２２】
なお、本実施形態では、縦ローラ４および横ローラ５の双方を設けているが、この構成に限定されるものではなく、必要な機能に応じて、少なくともいずれか一方のみを有していればよい。また、本実施形態において、縦ローラ４および横ローラ５のそれぞれは、各ローラ間のピッチを回転軸の位置を変更することにより調節可能に構成されているが、この構成に限定されるものではないし、変更されないように固定されていてもよい。
【００２３】
巻締調整用押圧板６は、巻取心棒３に巻回される採苗器を上方から押圧することにより採苗器を綺麗に巻くとともに、その巻き締め具合を調整するためのものである。本実施形態において、巻締調整用押圧板６は、図１，３，４に示すように、巻取心棒３の上方位置において上下揺動可能に設けられており、基端側が平面状に形成されているとともに先端側が下方に湾曲された曲面状に形成されている。
【００２４】
また、本実施形態において、巻締調整用押圧板６には、図１，４に示すように、揺動する先端側縁部にループ状の紐からなる操作部材６１が取り付けられている。そして、採苗器が巻取心棒３によって巻き取られる際に、当該操作部材６１を足などによって下方に操作して巻締調整用押圧板６による押圧力を調整することにより、採苗器の巻き締め具合を調整可能に構成されている。
【００２５】
なお、本実施形態では、採苗器巻取装置１に巻締調整用押圧板６を設けているが、この構成に限定されるものではなく、採苗器を自動的に巻き取れるものであれば、必ずしも設ける必要はない。また、本実施形態において、操作部材６１は、両手を自由に使えるようにするため、足で踏んで操作できるような長さのループ状の操作紐によって構成されているが、この構成に限定されるものではなく、下方に操作可能で、採苗器に対する押圧力を付与しうる限り、棒状や取っ手状等の他の操作手段であってもよい。
【００２６】
つぎに、本発明に係る採苗器巻取装置１の作用について、採苗器を巻き取る際の各工程に沿って説明する。
【００２７】
本実施形態の採苗器巻取装置１を用いて、図６（ａ）に示すような長尺状の採苗器を巻き取る場合、まず、図６（ｂ）に示すように、採苗器の一端側に結ばれたロープを主巻取棒３１と従巻取棒３２との隙間にセットする。このとき、当該ロープを間隔保持部材３３に当接させると、巻取心棒３の略中央位置に位置合わせさせられる。このため、採苗器は、巻取心棒３に対して左右に片寄ることなく、略中央位置に寄せて綺麗に巻き取られる。
【００２８】
つぎに、巻締調整用押圧板６を下ろし、モータ２の駆動を開始すると、図６（ｃ）に示すように、巻取心棒３が回転しながら採苗器を自動的に巻き取る。このとき、巻締調整用押圧板６は、巻き取られた採苗器の外周面を少なくとも自重により上方から押圧するため、長尺状の採苗器であってもボリュームが抑えられ綺麗なロール状に巻き取られる。また、巻締調整用押圧板６は、先端側が下方に湾曲された曲面状に形成されているため、ロール状に巻き取られた採苗器の外周形状に合わせて押圧できる。よって、ロール状に膨らんでも最後まで綺麗に巻き取らせることができる。
【００２９】
また、本実施形態では、巻締調整用押圧板６の操作部材６１を下方に操作する程度に応じて、採苗器に対する押圧力が調整されるため、ユーザの好みに応じて採苗器の巻き締め具合が調整される。例えば、操作部材６１を強めに押し下げると、巻締調整用押圧板６が採苗器を強く押圧しながら巻き取らせる。このため、採苗器はコンパクトなロール状となり、収容スペースが節約される。一方、操作部材６１を弱めに押し下げた場合、あるいは全く操作しない場合は、巻締調整用押圧板６が採苗器をソフトに押圧しながら巻き取らせる。このため、採苗器はふんわりとしたロール状となり、次回の使用時に海中で広がり易くなる。これらは漁師の好みに合わせて適宜簡単に調整できる。
【００３０】
また、本実施形態において、採苗器が巻き取られている間は、図６（ｄ）に示すように、縦ローラ４が、採苗器の両端位置を規制して巻取心棒３の略中央位置へ送出する。このため、採苗器は左右にぶれることなく巻き取られ、綺麗なロール状となる。一方、横ローラ５は、採苗器の上下面に当接し平らにならした状態で巻取心棒３へ送出する。このため、採苗器はかさばることなく巻き取られ、巻き取り後のボリュームが抑制される。
【００３１】
図６（ｅ）に示すように、採苗器の巻き取りが完了する頃には、巻き締められた採苗器が、主巻取棒３１および従巻取棒３２を互いに近づける方向に強く圧迫する。また、巻き取りの完了後、図６（ｆ）に示すように、巻締調整用押圧板６を持ち上げて、採苗器をロープで固く縛り付けると、主巻取棒３１および従巻取棒３２がさらに圧迫される。しかし、本実施形態では、間隔保持部材３３が主巻取棒３１および従巻取棒３２の変形を抑制し、両者間の間隔を保持する。このため、主巻取棒３１および従巻取棒３２は、互いに略平行な状態を保持して、巻き取り後の採苗器を抜き取りやすくする。
【００３２】
巻き取られた採苗器をロープで縛った後、図６（ｇ）に示すように、採苗器を主巻取棒３１および従巻取棒３２の開放端部側に引っ張ると、採苗器が主巻取棒３１および従巻取棒３２に沿ってスライドし、簡単かつ迅速に引き抜かれる。これにより、図６（ｈ）に示すように、採苗器はコンパクトかつ綺麗に丸められた状態で固定され、収納可能な状態となる。
【００３３】
以上のような本発明に係る採苗器巻取装置１によれば、以下のような効果を奏する。
１．細長い採苗器を自動的に簡単かつ綺麗に巻き取り、しかも簡単に抜き取って収容することができる。
２．巻取心棒３の変形を防止して採苗器の抜き取りやすさを確保することができる。
３．採苗器を強く巻き締めて固く縛っても巻取心棒３の変形を防止して採苗器の抜き取りやすさを確保することができる。
４．採苗器を巻き取る際に押圧することによって長尺状の採苗器であっても綺麗なロール状に巻くことができる。
５．ロール状に巻き取られる採苗器の外周形状に合わせて押圧することで綺麗に巻くことができる。
６．採苗器を好みの巻き締め具合に調整することができる。
【００３４】
なお、本発明に係る採苗器巻取装置１は、前述した実施形態に限定されるものではなく、適宜変更することができる。
【００３５】
例えば、上述した本実施形態では、作業効率を向上するために、モータ２の両側に巻取心棒３を一本ずつ設けているが、この構成に限定されるものではない。すなわち、図７に示すように、巻取心棒３を片側一本だけ有する構成にしてもよい。
【符号の説明】
【００３６】
１  採苗器巻取装置
２  モータ
３  巻取心棒
４  縦ローラ
５  横ローラ
６  巻締調整用押圧板
３１  主巻取棒
３２  従巻取棒
３３  間隔保持部材
６１  操作部材
【図１】
2020130029.tif 000003
【図２】
2020130029.tif 000004
【図３】
2020130029.tif 000005
【図４】
2020130029.tif 000006
【図５】
2020130029.tif 000007
【図６】
2020130029.tif 000008
【図７】
2020130029.tif 000009
【図８】
2020130029.tif 000010